(57)【特許請求の範囲】
【請求項１】
基板の挿入空間を備えたハウジングと、前記挿入空間を挟んで対称位置に配された一対の端子金具とを備え、前記各端子金具に設けられた弾性接触片が前記挿入空間に挿入された基板を弾性的に挟みつつ基板の表面に設けられた電極に接続するようにしたカードエッジコネクタにおいて、
絶縁性材料よりなる短絡防止部材を備えるとともに、この短絡防止部材は前記対称位置に配された端子金具の弾性接触片の間に位置する短絡防止位置と、この短絡防止位置より退避する退避位置との間で移動可能とされ、
かつ前記短絡防止部材は、前記基板を前記挿入空間へ挿入する動作に伴って、基板側の部材によって前記短絡防止位置から前記退避位置へと押圧され、
さらに、前記短絡防止部材と前記基板側の部材との間には、前記退避位置にて係合可能でかつ前記短絡防止位置にてその係合を解除可能な係合手段が設けられており、前記短絡防止部材は、前記基板を前記挿入空間より離脱する動作に伴って、前記係合手段を介して前記退避位置から前記短絡防止位置へと移動され、
前記係合手段は、撓み変形可能な係止アームを備えて構成され、前記短絡防止部材が前記短絡防止位置よりも前記退避位置側に位置するときに、前記係止アームの係合解除側への撓み変形を規制する撓み規制手段が設けられていることを特徴とするカードエッジコネクタ。
【発明の詳細な説明】
【０００１】
【発明の属する技術分野】
本発明は、カードエッジコネクタに関する。
【０００２】
【従来の技術】
図２８及び図２９には、特開昭５６−１３６４８０号公報に開示されたカードエッジコネクタ１００を示した。このカードエッジコネクタ１００は、前面に基板１０１の端部を挿入可能な基板挿入孔１０２が設けられており、その内部には弾性接触片１０３を備えた一対の端子金具１０４が基板挿入孔１０２を挟んで対称位置に設けられている。両弾性接触片１０３の間隔Ｌは、基板１０１の厚さＭよりも小さく設定されており、基板１０１がカードエッジコネクタ１００に組み付けられると、両弾性接触片１０３が弾性的に基板１０１を挟みつつ基板１０１の両面に設けられた薄膜状の電極１０５に接触するようになっている。
【０００３】
【発明が解決しようとする課題】
ところで、カードエッジコネクタ１００では、端子金具１０４と電極１０５との接触抵抗を安定させるために、弾性接触片１０３と電極１０５との接触圧を高める必要が生じることがある。ところが、そのために弾性接触片１０３の撓み代を大きく設定すると、間隔Ｌが小さくなってしまい、基板１０１を組み付ける前に上下の弾性接触片１０３が接触することにより、カードエッジコネクタ１００側の回路（図示せず）が短絡してしまうおそれがある。
本発明は、上記した事情に鑑みてなされたものであり、その目的は、端子金具の短絡を防止することの可能なカードエッジコネクタを提供することにある。
【０００４】
【課題を解決するための手段】
上記の課題を解決するための請求項１の発明に係るカードエッジコネクタは、基板の挿入空間を備えたハウジングと、前記挿入空間を挟んで対称位置に配された一対の端子金具とを備え、前記各端子金具に設けられた弾性接触片が前記挿入空間に挿入された基板を弾性的に挟みつつ基板の表面に設けられた電極に接続するようにしたカードエッジコネクタにおいて、絶縁性材料よりなる短絡防止部材を備えるとともに、この短絡防止部材は前記対称位置に配された端子金具の弾性接触片の間に位置する短絡防止位置と、この短絡防止位置より退避する退避位置との間で移動可能とされ、かつ前記短絡防止部材は、前記基板を前記挿入空間へ挿入する動作に伴って、基板側の部材によって前記短絡防止位置から前記退避位置へと押圧され、さらに、前記短絡防止部材と前記基板側の部材との間には、前記退避位置にて係合可能でかつ前記短絡防止位置にてその係合を解除可能な係合手段が設けられており、前記短絡防止部材は、前記基板を前記挿入空間より離脱する動作に伴って、前記係合手段を介して前記退避位置から前記短絡防止位置へと移動され、前記係合手段は、撓み変形可能な係止アームを備えて構成され、前記短絡防止部材が前記短絡防止位置よりも前記退避位置側に位置するときに、前記係止アームの係合解除側への撓み変形を規制する撓み規制手段が設けられているところに特徴を有する。
【０００７】
【発明の作用および効果】
請求項１の発明によれば、対称位置に配された端子金具の弾性接触片の間に短絡防止部材が位置することで、端子金具の短絡が防止される。従って、弾性接触片の撓み代を大きく設定することができ、それによって基板との接触圧を高めることが可能となる。
【０００８】
また、短絡防止部材が基板の挿入動作に伴って退避位置へと移動するため、操作が簡単となる。
【０００９】
また、短絡防止部材が基板の離脱動作に伴って短絡防止位置へと戻り、端子金具の短絡が防止されるため、操作が簡単となる。
【００１０】
【発明の実施の形態】
＜第１実施形態＞
次に、本発明の第一実施形態について図１から図１８を参照して説明する。
本実施形態のカードエッジコネクタ１０は、図１から図６に示すように、合成樹脂製のハウジング１１と、このハウジング１１に挿入される端子金具４０と、ハウジング１１に対して上下一対に組み付けられて端子金具４０に係止するリテーナ３０Ａ，３０Ｂと、そして端子金具４０の短絡を防止する短絡防止部材５０とを備えて構成されている。ハウジング１１は、一対の基板６１Ａ，６１Ｂを備えた相手側ハウジング６０（本発明の「基板側の部材」に相当。図１，図２，図７等を参照。）と互いに嵌合可能とされている。なお、以下の説明においては、両ハウジング１１，６０が互いに嵌合する側を前面側とする。また、相手側ハウジング６０については一部分のみを示す。
【００１１】
ハウジング１１は、左右に細長い略箱形形状をなしており、相手側ハウジング６０に設けられたフード部６２内に嵌入可能とされている。ハウジング１１の上面には、左右方向中央付近に凹所１２が設けられて、そこに上下方向に撓み変形可能なロックアーム１３が形成されている。ロックアーム１３は、両ハウジング１１，６０を嵌合した際に、フード部６２の上部に設けられたロック受部６３に弾性的に係止することで両ハウジング１１，６０を離脱不能にロックするようになっている。一方のフード部６２の奥面からは、上下方向の中央に一対の基板６１Ａ，６１Ｂが左右方向に並んで突設されており、ハウジング１１の前面には、各基板６１Ａ，６１Ｂに対応する位置に一対の基板挿入孔１４Ａ，１４Ｂ（本発明の「挿入空間」に相当）が開口されて、両ハウジング１１，６０を嵌合することで各基板６１Ａ，６１Ｂが基板挿入孔１４Ａ，１４Ｂ内に挿入されるようになっている。
【００１２】
ハウジング１１には、各基板挿入孔１４Ａ，１４Ｂを挟んで上下に端子金具４０を挿入可能なキャビティ１６が複数個ずつ並設されている。基板挿入孔１４Ａ，１４Ｂに挿入される基板６１Ａ，６１Ｂの端部には、上下両面に銅箔等から形成される薄膜状の電極（図示しない）が設けられており、各キャビティ１６はそれらの電極に対応する位置に配されている。キャビティ１６は、前後方向に細長く、後方側に開放してそこから端子金具４０を挿入可能とされている。上下のキャビティ１６は、互いに対称構造となっており、各キャビティ１６の内壁のうち上下方向外側の面からは、それぞれキャビティ１６の内側に向かってランス１７が突設されている。ランス１７は、上下方向に撓み変形可能となっており、その先端が端子金具４０に対して弾性的に係止することで端子金具４０が抜け止めされるようになっている。
【００１３】
また、ハウジング１１の上下面には、やや後端寄りの位置にリテーナ３０Ａ，３０Ｂを装着するための一対のリテーナ装着孔１８Ａ，１８Ｂが凹設されている。リテーナ装着孔１８Ａ，１８Ｂは、ハウジング１１の全幅に亘って形成されており、各キャビティ１６に連通している。一方のリテーナ３０Ａ，３０Ｂは、断面コの字形状をなしており、ハウジング１１を左右に跨ぐようにして装着される。リテーナ３０Ａ，３０Ｂは、詳細な説明は省略するが、端子金具４０に係合可能とされるとともに、端子金具４０のキャビティ１６への抜き差しを許容する仮係止位置と、この仮係止位置より深い差し込み位置であって端子金具４０に係合して抜けを規制する本係止位置との間で変位可能とされている。
【００１４】
端子金具４０は、導電性の金属板を折り曲げて形成されており、後部に電線Ｗの端末が接続される電線接続部４１を備え、前部に基板６１Ａ，６１Ｂに対して弾性的に接触可能な弾性接触片４２を備えている。図１における下段のキャビティ１６の端子金具４０を基準に説明すると、弾性接触片４２は、端子金具４０の底壁の前端より延出される帯状部分を斜め上後方に折り返し、さらにその先端を斜め下前方に折り返して全体として回曲した形状をなしている。弾性接触片４２の上端部は接点部４２Ａとされており、上下の端子金具４０は互いに弾性接触片４２の接点部４２Ａを突き合わすような向きで対称に配置されている。また、上下の端子金具４０の接点部４２Ａは、ともに基板挿入孔１４Ａ，１４Ｂ内に突出しており、その間に基板６１Ａ，６１Ｂが挿入されると、その基板６１Ａ，６１Ｂを弾性的に挟み付けるとともに、基板６１Ａ，６１Ｂの両面に設けられた電極に対して電気的に接続するようになっている。
【００１５】
さて、ハウジング１１には、短絡防止部材５０を収容可能な部材収容孔２１が凹設されている。この部材収容孔２１は、図６に示すように、後面からみてコの字形をなしており、ハウジング１１の後方に開放している。部材収容孔２１の中央部分は、ハウジング１１の内部を上下に分断するように設けられており、上下のキャビティ１６間も部材収容孔２１により隔てられている。部材収容孔２１の前部は、基板挿入孔１４Ａ，１４Ｂと領域の一部を共有している。また、部材収容孔２１の左右両側端は、下側に溝状をなす側溝部２１Ａとなっており、図４に示すように、ハウジング１１の左右両側面には、側溝部２１Ａの一部に連通する窓孔２２が貫通形成されている。
【００１６】
一方、短絡防止部材５０は、図８から図１０に示すように、絶縁性を有する合成樹脂材よりなり、略平板状の遮断部５１と、この遮断部５１の左右両側端から下方へ突出する一対の側壁部５２とを備えて断面コの字形状をなしている。短絡防止部材５０は、部材収容孔２１に後方から嵌め込み可能とされており、部材収容孔２１内では遮断部５１は上下のキャビティ１６間を仕切り、左右の側壁部５２は各側溝部２１Ａ内に収容される。なお、部材収容孔２１の上下方向の寸法は基板挿入孔１４Ａ，１４Ｂのそれよりも小さくされており、それに対応して、短絡防止部材５０の遮断部５１の厚さ寸法は基板６１Ａ，６１Ｂの厚さ寸法よりもやや小さくされている。また、短絡防止部材５０の前後方向の寸法は、部材収容孔２１のそれよりも小さくされており、短絡防止部材５０は部材収容孔２１内を前後にスライド移動可能とされている。
【００１７】
短絡防止部材５０には、部材収容孔２１内において、その前端に位置する短絡防止位置（図１，図２，図５等に示す）と、部材収容孔２１の後端に位置する退避位置（図１６，図１７，図１８に示す）との２つの位置が設定されている。短絡防止位置においては、遮断部５１が基板挿入孔１４Ａ，１４Ｂ内へ上下から突出する端子金具４０の弾性接触片４２の間に位置し、上下の端子金具４０同士の短絡が防止される。また、この位置では、ハウジング１１の前面壁２４によって短絡防止部材５０の前方への移動が規制される。一方の退避位置では、遮断部５１は上下の端子金具４０の弾性接触片４２よりも後方に退避した位置となる。
【００１８】
短絡防止部材５０の各側壁部５２には、図１０に示すように、先端付近に前後に延びる切欠溝５３が形成されており、これにより先端縁中央付近が上下に撓み変形可能な撓み縁部５４となっている。この撓み縁部５４の中央付近からは、下方へ位置決め突起５５が突設されている。一方、部材収容孔２１における側溝部２１Ａの底面には、図２に示すように、位置決め突起５５と係合可能な位置決め孔２３が設けられており、両者２３，５５が係合することで短絡防止部材５０が短絡防止位置に位置決めされる。また、この位置決め孔２３よりも後方位置に装着される下側のリテーナ３０Ｂには、側溝部２１Ａの底面に対応する位置に、やはり位置決め突起５５と係合可能な位置決め孔３１が設けられており、両者３１，５５が係合することで短絡防止部材５０が退避位置に位置決めされるようになっている。
【００１９】
また、側壁部５２においては、前述の切欠溝５３の前端が上方に延びてさらに後方に向けて中央付近まで延びており、その切欠溝５３に囲まれた部分に前方へ延びる係止アーム５７（本発明の「係合手段」に相当）が設けられている。この係止アーム５７は、短絡防止部材５０の幅方向に撓み変形可能とされており、その先端には幅方向外側へ突出する係止突部５８が設けられている。なお、この係止突部５８は、係止アーム５７が撓み変形していない自然状態（図５参照）においては、ハウジング１１の窓孔２２から外部に突出する状態となる。係止突部５８のさらに先端には、上方へ突出する撓み規制突起５９が形成されている。
【００２０】
一方のハウジング１１には、側溝部２１Ａの幅方向内側の面に、図１１に示すように、係止アーム５７の撓み変形を許容するための逃がし部２５が凹設されている。また、同じく側溝部２１Ａの幅方向内側の面には、図１５に示すように、撓み規制突起５９に対して幅方向の内側から当接して係止アーム５７の変形を規制可能な撓み規制壁２６が前後方向に細長く形成されている。この撓み規制壁２６の前方には前述の逃がし部２５が設けられており、短絡防止部材５０が短絡防止位置より後方に位置するときには係止アーム５７の変形が規制された状態となり、短絡防止部材５０が短絡防止位置にあるとき（図５参照）には撓み規制突起５９が撓み規制壁２６より前方に位置して係止アーム５７の撓み変形が許容される状態となる。
一方、相手側ハウジング６０において、フード部６２の左右内側面には、図７，図１３等に示すように、一対の戻し突部６５（係止アームとともに本発明の「係合手段」に相当）が設けられている。この戻し突部６５は、両ハウジング１１，６０を嵌合したときに、係止突部５８に対して後方側から後方側から係合可能とされている。
【００２１】
本実施形態は以上の構成であり、次にその作用を説明する。
両ハウジング１１，６０を嵌合する前の状態（図１，図２参照）では、上下に向き合う一対の弾性接触片４２の間に短絡防止部材５０が位置しており、その弾性接触片４２の接点部４２Ａが短絡防止部材５０に対して弾性的に接触した状態である。このため、上下対称位置の端子金具４０の短絡が防止されている。
【００２２】
この状態から両ハウジング１１，６０を嵌合する場合には、ハウジング１１を相手側のフード部６２内に嵌め込む。すると、戻し突部６５が撓み規制突起５９に突き当たり、図１１に示すように、係止アーム５７を逃がし部２５内へ撓み変形させる。一方、各基板６１Ａ，６１Ｂの先端が対応する基板挿入孔１４Ａ，１４Ｂに挿入される。
【００２３】
嵌合が進むと、戻し突部６５が撓み規制突起５９を越えて、係止アーム５７が復帰変形して逃がし部２５より脱出する（図１２，図１３に示す状態）。これにより戻し突部６５が係止突部５８に対して後方から係合した状態となる。一方、これとほぼ同時に、各基板６１Ａ，６１Ｂの先端縁が短絡防止部材５０の前端に突き当たる。
【００２４】
さらに嵌合が進むと、基板６１Ａ，６１Ｂが基板挿入孔１４Ａ，１４Ｂ内へ挿入されるのに伴って、短絡防止部材５０が基板６１Ａ，６１Ｂによって後方へと押圧される（図１４，図１５に示す状態）。すると、短絡防止部材５０の側壁部５２における撓み縁部５４の中央が上方に撓み変形するとともに、位置決め突起５５が側溝部２１Ａの底面に乗り上げ、その姿勢のまま短絡防止部材５０が退避位置側へと移動する。
【００２５】
そして、短絡防止部材５０が上下の端子金具４０における弾性接触片４２の間から抜け出るとともに、基板６１Ａ，６１Ｂの先端縁が上下の弾性接触片４２に当接して、各弾性接触片４２を互いに離間する方向に撓み変形させつつその間に進入する。こうして、基板６１Ａ，６１Ｂが上下の弾性接触片４２の接点部４２Ａによって弾性的に挟まれた状態となる。
【００２６】
両ハウジング１１，６０が正規の位置まで嵌合されると、ロックアーム１３がロック受部６３に係合して両ハウジング１１，６０が嵌合状態にロックされる（図１６から図１８に示す状態）。また、短絡防止部材５０において側壁部５２の撓み縁部５４が復帰変形するとともに、位置決め突起５５がリテーナ３０Ｂの位置決め孔３１に嵌まり込んで係合し、短絡防止部材５０が退避位置に位置決めされる。また、上下の弾性接触片４２の接点部４２Ａが基板６１Ａ，６１Ｂを弾性的に挟みつつ基板６１Ａ，６１Ｂの両面に設けられた電極に接触し、各端子金具４０と基板６１Ａ，６１Ｂ上の回路（図示しない）とが電気的に接続される。以上により、両ハウジング１１，６０の嵌合操作が完了する。
【００２７】
次に、両ハウジング１１，６０を嵌合状態より離脱する場合には、まずロックアーム１３を下方に撓み変形させ、ロック受部６３との係合を外す。そして、その姿勢のまま両ハウジング１１，６０を互いに離間する方向へ引っ張る。すると、基板６１Ａ，６１Ｂが基板挿入孔１４Ａ，１４Ｂより抜け出る一方で、戻し突部６５が係止突部５８を引っ張り方向に押圧する。このとき、撓み規制突起５９には撓み規制壁２６が幅方向内側から当接しているため、係止アーム５７が撓み変形することが規制され、戻し突部６５と係止突部５８との係合状態が保たれる。そのため、基板６１Ａ，６１Ｂが基板挿入孔１４Ａ，１４Ｂより抜け出るのに伴って、短絡防止部材５０が前方へ移動する（図１４，図１５参照）。一方で、側壁部５２の撓み縁部５４の中央が撓み変形するとともに、位置決め突起５５がリテーナ３０Ｂの位置決め孔３１より離脱する。
基板６１Ａ，６１Ｂと短絡防止部材５０とは先端を互いに接近させた状態のまま移動し、基板６１Ａ，６１Ｂが上下の端子金具４０における弾性接触片４２の間から抜け出るとともに、上下の弾性接触片４２が互いに接近する方向へ僅かに復帰変形して短絡防止部材５０に弾性的に接触する。
【００２８】
短絡防止部材５０が短絡防止位置に至ると、短絡防止部材５０がハウジング１１の前面壁２４に当接して前方への移動が規制されるとともに、位置決め突起５５が前側の位置決め孔２３に係合し、短絡防止部材５０が位置決めされる（図１２，図１３に示す状態）。また、このとき、撓み規制突起５９は、撓み規制壁２６より前側に位置して干渉しない位置となる。
【００２９】
両ハウジング１１，６０をさらに離間させると、撓み規制突起５９が戻し突部６５に押圧されて、図１１に示すように、係止アーム５７が逃がし部２５内に撓み変形し、戻し突部６５と係止突部５８との係合が解除された状態となる。
そして、各基板６１Ａ，６１Ｂが基板挿入孔１４Ａ，１４Ｂより抜け出て、係止突部５８が戻し突部６５を乗り越えるとともに、係止アーム５７が元の姿勢に復帰する。こうして、ハウジング１１がフード部６２より抜き出され、両ハウジング１１，６０が嵌合前の状態に戻る（図１，図２，図５参照）。
【００３０】
以上のように、本実施形態のカードエッジコネクタ１０によれば、対称位置に配された上下の端子金具４０の弾性接触片４２の間に短絡防止部材５０が位置することで、端子金具４０間の短絡が防止される。従って、弾性接触片４２の撓み代を大きく設定することができ、それによって基板６１Ａ，６１Ｂとの接触圧を高めることが可能となる。
【００３１】
また、短絡防止部材５０が基板６１Ａ，６１Ｂの挿入動作（両ハウジング１１，６０の嵌合動作）に伴って短絡防止位置から退避位置へと移動するため、操作が簡単となる。特に、短絡防止部材５０は基板６１Ａ，６１Ｂによって直接押圧されるため、他に押圧のための部位を設ける必要がない。
【００３２】
さらに、短絡防止部材５０が基板６１Ａ，６１Ｂの離脱動作（両ハウジング１１，６０の離脱動作）に伴って退避位置から短絡防止位置へと戻り、端子金具４０の短絡が防止されるため、操作が簡単となる。
【００３３】
また、短絡防止部材５０の厚さ寸法は、基板６１Ａ，６１Ｂの厚さ寸法に比べて小さく設定されているため、弾性接触片４２の短絡防止部材５０に接触するときの撓み変形量を小さくでき、短絡防止部材５０が退避位置に長時間放置された場合等における弾性接触片４２のへたりを防止できる。
さらに、弾性接触片の撓み代を大きく設定した場合には、基板挿入時の抵抗力の増加が懸念されるが、上記のカードエッジコネクタ１０では、両ハウジング１１，６０を嵌合する際に、基板６１Ａ，６１Ｂが、短絡防止部材５０と常に接近した状態を保ちつつ、この短絡防止部材５０と入れ替わりに上下の弾性接触片４２の間へ進入するようになっている。即ち、弾性接触片４２は、短絡防止部材５０に接触してある程度撓み変形した状態から、基板６１Ａ，６１Ｂに接触してより撓み変形量が大きくなった状態へと連続的に移行するため、弾性接触片が撓み変形していない自然状態にあるときに基板を挿入する場合に比べて、基板挿入時に弾性接触片を撓ませる量が小さくなり、挿入の抵抗力を低減することができる。
【００３４】
＜第２実施形態＞
次に、本発明の第２実施形態について図１９から図２７を参照して説明する。なお、以下の説明において、第１実施形態と概ね同様の構成には、同一符号を付して説明を一部省略する。
本実施形態のカードエッジコネクタ８０において、短絡防止部材７０は、図２０に示すように、略平板状の遮断部７１と、この遮断部７１の左右両端から上下に延出する一対の側壁部７２とを備えて断面略Ｈ字形状をなしている。遮断部７１の厚さ寸法は、基板６１Ａ，６１Ｂの厚さ寸法よりもやや小さくされている。側壁部７２には、図１９に示すように、上部に前後方向に延びる切欠溝７３が形成されており、これにより側壁部７２の上端縁中央付近が上下に撓み変形可能な撓み縁部７４となっている。さらに、この撓み縁部７４からは、上方へ位置決め突起７５が突設されている。
【００３５】
一方のハウジング８１には、図２１に示すように、短絡防止部材７０に対応する断面略Ｈ字形の部材収容孔８２が凹設されており、この部材収容孔８２の内部に短絡防止部材７０を収容して、第１実施形態と同様に短絡防止位置と退避位置との間でスライド移動させることが可能となっている。部材収容孔８２の左右両側端は側溝部８２Ａとなっており、ハウジング８１の左右両側面には、図２２に示すように、側溝部８２Ａに連通する窓孔８３が貫通形成されている。また、側溝部８２Ａの上面には、図１９に示すように、位置決め孔８４Ａ，８４Ｂが前後に一対凹設されており、これらの位置決め孔８４Ａ，８４Ｂのうちの一方が位置決め突起７５と係合することで短絡防止部材７０が位置決めされるようになっている。
【００３６】
また、短絡防止部材７０の側壁部７２には、前方下部にコの字形の切欠部７６が設けられ、その切欠部７６に囲まれた部分に前方から後方側へ延びる係止アーム７７（本発明の「係合手段」に相当）が形成されている。係止アーム７７は、短絡防止部材７０の幅方向に撓み変形可能とされており、その自由端側である後端部には幅方向の外側へ突出する係止突部７８が設けられている。この係止突部７８は、係止アーム７７が撓み変形していない自然状態（図２３参照）においては、ハウジング８１の窓孔８３から外部に突出する。また、ハウジング８１には、側溝部８２Ａの幅方向内側の面に、係止アーム７７の撓み変形を許容するための逃がし部８５が凹設されており、さらにこの逃がし部８５から後方に位置する壁面が、係止アーム７７に対して幅方向の内側から当接することで係止アーム７７の変形を規制可能な撓み規制壁８６となっている。
【００３７】
一方、相手側ハウジング９０には、図１９，図２４に示すように、フード部９１の左右内側面に一対の戻し突部９２（係止アーム７７とともに本発明の「係合手段」に相当）が設けられている。この戻し突部９２は、両ハウジング８１を嵌合したときに、係止突部７８に対して後方側から係合可能とされている。
【００３８】
次に本実施形態の作用を説明する。
図１９に示した状態から、両ハウジング８１，９０を嵌合していくと、戻し突部９２が係止突部７８に突き当たり、図２４に示すように、係止アーム７７を逃がし部８５内に撓み変形させる。そして、戻し突部９２が係止突部７８を乗り越えると、係止アーム７７が復帰変形して戻し突部９２が係止突部７８に対して後方から係合する。これとほぼ同時に、各基板挿入孔１４Ａ，１４Ｂに挿入された基板６１Ａ，６１Ｂが短絡防止部材７０に突き当たる。
【００３９】
嵌合が進むと、短絡防止部材７０が基板６１Ａ，６１Ｂによって後方へと押圧されるとともに、図２５に示すように、撓み縁部７４が切欠溝７３側へ撓み変形して位置決め突起７５が側溝部８２Ａの上壁面に乗り上げる。両ハウジング８１，９０が正規の嵌合状態に至ると、図２６，図２７に示すように、撓み縁部７４が復帰変形するとともに、位置決め突起７５が後側の位置決め孔８４Ｂに嵌まり込んで係合し、短絡防止部材７０が退避位置に位置決めされる。
【００４０】
一方、嵌合された両ハウジング８１，９０を外す場合には、両ハウジング８１，９０を離間方向に引っ張ると、戻し突部９２が係止突部７８を引っ張り方向に押圧する。このとき、係止アーム７７には撓み規制壁８６が幅方向内側から当接して撓み変形が規制されているため、戻し突部９２との係合状態が保たれ、短絡防止部材７０が前方へと移動する。一方で、図２５に示すように、側壁部７２の撓み縁部７４が撓み変形するとともに、位置決め突起７５が後側の位置決め孔８４Ｂより離脱する。
【００４１】
短絡防止部材７０が短絡防止位置に至ると、撓み縁部７４が復帰変形するとともに、位置決め突起７５が前側の位置決め孔８４Ａに係合して、短絡防止部材７０が位置決めされる。両ハウジング８１，９０をさらに離間させると、係止突部７８が戻し突部９２に押圧されて、図２４に示すように、係止アーム７７が逃がし部８５内に撓み変形し、戻し突部９２との係合が解除された状態となる。そして、係止突部７８が戻し突部９２を乗り越えるとともに、係止アーム７７が元の姿勢に復帰し、両ハウジング８１，９０が嵌合前の状態に戻る（図１９，図２３参照）。
【００４２】
本実施形態では、第１実施形態と同様の作用効果に加え、第１実施形態のように係止アーム５７の上面に撓み規制突起５９を設けていない分、係止アーム７７の上下方向の寸法を小さくすることができ、それによって、ハウジング８１において、係止アーム７７の撓みを受け入れる逃がし部８５の上下方向の寸法を小さく設計することができるため、カードエッジコネクタ８０全体の小型化を図ることができる。
【００４３】
本発明の技術的範囲は、上記した実施形態によって限定されるものではなく、例えば、次に記載するようなものも本発明の技術的範囲に含まれる。
（１）上記各実施形態では、短絡防止部材は、ハウジングの内部において短絡防止位置と退避位置との間を移動するようにしたが、本発明によれば、短絡防止部材は退避位置においてハウジングの外部に離脱されるようにしても良い。
（２）上記各実施形態では、基板を挿入する際に、基板が短絡防止部材を直接押圧するようにしたが、本発明によれば、短絡防止部材を基板側の別の部位（相手側ハウジング等）で押圧するようにしても良い。また、基板を挿入する操作とは別の操作によって短絡防止部材を退避位置へと移動させるようにしても良い。
【図面の簡単な説明】
【図１】第１実施形態におけるカードエッジコネクタの嵌合前の状態を示す側断面図
【図２】同じく嵌合前の状態を示す側断面図
【図３】カードエッジコネクタの正面図
【図４】カードエッジコネクタの側面図
【図５】ハウジング及び短絡防止部材の平断面図
【図６】ハウジングの背面図
【図７】相手側ハウジングの正面図
【図８】短絡防止部材の正面図
【図９】短絡防止部材の平断面図
【図１０】短絡防止部材の側面図
【図１１】戻し突起が係止アームを撓ませた状態を示す平断面図
【図１２】短絡防止部材が短絡防止位置にあるときの状態を示す側断面図
【図１３】同じく短絡防止部材が短絡防止位置にあるときの状態を示す平断面図
【図１４】短絡防止部材が短絡防止位置と退避位置との間を移動する途中を示す側断面図
【図１５】同じく短絡防止部材が短絡防止位置と退避位置との間を移動する途中を示す平断面図
【図１６】正規嵌合状態を示す側断面図
【図１７】同じく正規嵌合状態を示す側断面図
【図１８】同じく正規嵌合状態を示す平断面図
【図１９】第２実施形態におけるカードエッジコネクタの嵌合前の状態を示す側断面図
【図２０】短絡防止部材の正面図
【図２１】ハウジングの背面図
【図２２】カードエッジコネクタの側面図
【図２３】ハウジング及び短絡防止部材の平断面図
【図２４】戻し突起が係止アームを撓ませた状態を示す平断面図
【図２５】短絡防止部材が短絡防止位置と退避位置との間を移動する途中を示す側断面図
【図２６】正規嵌合状態を示す側断面図
【図２７】同じく正規嵌合状態を示す平断面図
【図２８】従来例におけるカードエッジコネクタの一部断面斜視図
【図２９】従来例におけるカードエッジコネクタの側断面図
【符号の説明】
１０，８０…カードエッジコネクタ
１１，８１…ハウジング
１４Ａ，１４Ｂ…基板挿入孔（基板の挿入空間）
４０…端子金具
５０，７０…短絡防止部材
５７，７７…係止アーム（係合手段）
６０，９０…相手側ハウジング（基板側の部材）
６１Ａ，６１Ｂ…基板
６５，９２…戻し突部（係合手段）
【図１】
0003680735.tif 000002
【図２】
0003680735.tif 000003
【図３】
0003680735.tif 000004
【図４】
0003680735.tif 000005
【図５】
0003680735.tif 000006
【図６】
0003680735.tif 000007
【図７】
0003680735.tif 000008
【図８】
0003680735.tif 000009
【図９】
0003680735.tif 000010
【図１０】
0003680735.tif 000011
【図１１】
0003680735.tif 000012
【図１２】
0003680735.tif 000013
【図１３】
0003680735.tif 000014
【図１４】
0003680735.tif 000015
【図１５】
0003680735.tif 000016
【図１６】
0003680735.tif 000017
【図１７】
0003680735.tif 000018
【図１８】
0003680735.tif 000019
【図１９】
0003680735.tif 000020
【図２０】
0003680735.tif 000021
【図２１】
0003680735.tif 000022
【図２２】
0003680735.tif 000023
【図２３】
0003680735.tif 000024
【図２４】
0003680735.tif 000025
【図２５】
0003680735.tif 000026
【図２６】
0003680735.tif 000027
【図２７】
0003680735.tif 000028
【図２８】
0003680735.tif 000029
【図２９】
0003680735.tif 000030